(57)【要約】【課題】マクロ撮影モードを選択して撮影可能なデジタルカメラにおいて、被写体までの距離を測定することなく、マクロ撮影モードでの撮影ミスを防止又は低減する。【解決手段】撮影モードを含む複数のモードを有し、前記撮影モードが選択された場合、さらにマクロ撮影モード又はそれ以外の撮影モードを選択して撮影可能なデジタルカメラであって、撮影画面がマクロ撮影モードでは適切に撮影できない被写体を含むか否かを判定する被写体判定手段と、撮影画面がマクロ撮影モードでは適切に撮影できない被写体を含むと判定された場合、前記マクロ撮影モードが選択されているか否かを判定するマクロ撮影モード判定手段と、前記マクロ撮影モードが選択されていると判定された場合、マクロ撮影モードの解除処理を実行するマクロ撮影モード解除手段と、を備えることを特徴とするデジタルカメラ。【選択図】  図２
2007116372.tif 000002
【特許請求の範囲】
【請求項１】
撮影モードを含む複数のモードを有し、前記撮影モードが選択された場合、さらにマクロ撮影モード又はそれ以外の撮影モードを選択して撮影可能なデジタルカメラであって、
撮影画面がマクロ撮影モードでは適切に撮影できない被写体を含むか否かを判定する被写体判定手段と、
前記マクロ撮影モードが選択されているか否かを判定するマクロ撮影モード判定手段と、
前記被写体判定手段によって撮影画面がマクロ撮影モードでは適切に撮影できない被写体を含むと判定され、かつ、前記マクロモード判定手段によって前記マクロ撮影モードが選択されていると判定された場合、マクロ撮影モードの解除処理を実行するマクロ撮影モード解除手段と、
を備えることを特徴とするデジタルカメラ。
【請求項２】
前記マクロ撮影モード解除手段は、前記マクロ撮影モードの解除処理として、前記マクロ撮影モード以外のモードを選択することを特徴とする請求項１に記載のデジタルカメラ。
【請求項３】
前記マクロ撮影モードの解除処理の実行前に、前記マクロ撮影モードで設定されたデータを保存する保存手段をさらに備えることを特徴とする請求項１又は２に記載のデジタルカメラ。
【請求項４】
前記マクロ撮影モード解除手段は、前記マクロ撮影モードの解除処理としてさらに、マクロ撮影モードの解除を実行した旨を通知することを特徴とする請求項１から３のいずれかに記載のデジタルカメラ。
【請求項５】
前記マクロ撮影モード以外のモードは、標準撮影モードであることを特徴とする請求項２に記載のデジタルカメラ。
【請求項６】
前記マクロ撮影モードの解除処理の実行後、撮影画面がマクロ撮影モードでは適切に撮影できない被写体を含まないと判定された場合、マクロ撮影モードへの復帰処理を実行するマクロ撮影モード復帰手段をさらに備えることを特徴とする請求項３に記載のデジタルカメラ。
【請求項７】
前記マクロ撮影モード復帰手段は、前記マクロ撮影モードへの復帰処理として、前記保存されたデータを設定するとともに前記マクロ撮影モードを選択することを特徴とする請求項６に記載のデジタルカメラ。
【請求項８】
前記判定手段は、前記撮影モードが選択された場合、撮影画面がマクロ撮影モードでは適切に撮影できない被写体を含むか否かの判定を開始することを特徴とする請求項１から７のいずれかに記載のデジタルカメラ。
【請求項９】
前記被写体判定手段は、撮影画面がマクロ撮影モードでは適切に撮影できない被写体として人物の顔を含むか否かを判定する顔判定手段であることを特徴とする請求項１から８のいずれかに記載のデジタルカメラ。
【発明の詳細な説明】
【技術分野】
【０００１】
本発明は、デジタルカメラに係り、特にマクロ撮影モードを選択して撮影可能なデジタルカメラにおけるマクロ撮影モードでの撮影ミスを低減させるための技術に関する。
【背景技術】
【０００２】
従来、マクロ撮影モードを選択して撮影可能なデジタルカメラにおけるマクロ撮影モードでの撮影ミスを低減させるための技術として、被写体までの距離を測定し、その測定距離が通常領域にある場合に、通常撮影モードへの切り替えを促す警告を表示する撮像装置が提案されている（特許文献１）。
【０００３】
しかしながら、被写体との間の環境等によっては（乱反射等により）被写体までの距離を正確に測定できない場合があると考えられるから、従来のように被写体までの距離を測定し、その測定距離が通常領域にある場合に、通常撮影モードへの切り替えを促す警告を表示するのでは、適切な警告となりえない場合が生ずるという問題がある。
【０００４】
その他、本発明に関連があると思われるものとして、被写体及び撮影シーンを認識して、複数の撮影モードの中から最適な撮影モードを自動的に設定する事によって、撮影者が特別な撮影知識を持たなくとも被写体やシーンにあった良好な写真を撮影するようにしたもの（特許文献２）等がある。しかしながら、この従来技術においては、マクロ撮影モードでの撮影ミスを低減させるための具体的構成についてはなんら言及されていない。
【特許文献１】特開２００３−２４１０６９号公報
【特許文献２】特開２００３−３４４８９１号公報
【発明の開示】
【発明が解決しようとする課題】
【０００５】
本発明の課題は、マクロ撮影モードを選択して撮影可能なデジタルカメラにおいて被写体までの距離を測定することなくマクロ撮影モードでの撮影ミスを低減させるための技術を提供することにある。
【課題を解決するための手段】
【０００６】
本発明は、上記課題を解決するためになされたものであり、次の構成を採る。
【０００７】
撮影モードを含む複数のモードを有し、前記撮影モードが選択された場合、さらにマクロ撮影モード又はそれ以外の撮影モードを選択して撮影可能なデジタルカメラであって、撮影画面がマクロ撮影モードでは適切に撮影できない被写体を含むか否かを判定する被写体判定手段と、前記マクロ撮影モードが選択されているか否かを判定するマクロ撮影モード判定手段と、前記被写体判定手段によって撮影画面がマクロ撮影モードでは適切に撮影できない被写体を含むと判定され、かつ、前記マクロモード判定手段によって前記マクロ撮影モードが選択されていると判定された場合、マクロ撮影モードの解除処理を実行するマクロ撮影モード解除手段と、を備えることを特徴とするデジタルカメラ。
【０００８】
本発明によれば、撮影画面（これから撮影しようとしている画像。通常、ファインダから視認される領域に対応している。）に、マクロ撮影モードでは適切に撮影できない被写体（人物の顔など）が含まれているか否かが判定される。そして、撮影画面にマクロ撮影モードでは適切に撮影できない被写体が含まれており、かつ、マクロ撮影モードが選択されている場合に、マクロ撮影モードの解除処理が実行される。すなわち、画像処理の結果に基づいてマクロ撮影モードを制御している。
【０００９】
したがって、従来のように被写体までの距離を測定することなく、マクロ撮影モードでは適切に撮影できない被写体をマクロ撮影モードで撮影することを防止又は低減することが可能となる。すなわち、マクロ撮影モードでの撮影ミスを防止又は低減することが可能となる。
【００１０】
上記デジタルカメラにおいては、例えば、前記マクロ撮影モード解除手段は、前記マクロ撮影モードの解除処理として、前記マクロ撮影モード以外のモードを選択する。
【００１１】
このようにすれば、マクロ撮影モードの解除処理としてマクロ撮影モード以外のモードが選択されるから、マクロ撮影モードでは適切に撮影できない被写体をマクロ撮影モードで撮影することを防止又は低減することが可能となる。すなわち、マクロ撮影モードでの撮影ミスを防止又は低減することが可能になる。
【００１２】
また、上記デジタルカメラにおいては、例えば、前記マクロ撮影モードの解除処理の実行前に、前記マクロ撮影モードで設定されたデータを保存する保存手段を備える。
【００１３】
このようにすれば、マクロ撮影モード解除後にマクロ撮影モードに復帰する場合、この保存データを再設定することができ、これにより、解除前のマクロ撮影モードと同じ条件のマクロ撮影モードに復帰することが可能となる。
【００１４】
また、上記デジタルカメラにおいては、例えば、前記マクロ撮影モード解除手段は、前記マクロ撮影モードの解除処理としてさらに、マクロ撮影モードの解除を実行した旨を通知する。
【００１５】
このようにすれば、マクロ撮影モードの解除を実行した旨の通知によって、利用者はマクロ撮影モードの解除が実行されたことを直ちに把握することが可能となる。
【００１６】
また、上記デジタルカメラにおいては、例えば、前記マクロ撮影モード以外のモードは、標準撮影モードである。
【００１７】
これは、マクロ撮影モード以外のモードの例示である。このようにすれば、マクロ撮影モードの解除処理としてマクロ撮影モード以外のモードである標準撮影モードが選択されるから、マクロ撮影モードでは適切に撮影できない被写体をマクロ撮影モードで撮影することを防止又は低減することが可能となる。すなわち、マクロ撮影モードでの撮影ミスを防止又は低減することが可能になる。しかも、撮影画面にマクロ撮影モードでは適切に撮影できない被写体が含まれている場合（かつ、マクロ撮影モードが選択されている場合）に、直ちに標準撮影モードが選択されることになるから、標準撮影モードで迅速かつ適切に撮影することが可能となる。標準撮影モードを選択するのに手間取ってシャッターチャンスを逃すことがない。なお、本発明のマクロ撮影モード以外のモードは標準撮影モードに限定されない。
【００１８】
また、上記デジタルカメラにおいては、例えば、前記マクロ撮影モードの解除処理の実行後、撮影画面がマクロ撮影モードでは適切に撮影できない被写体を含まないと判定された場合、マクロ撮影モードへの復帰処理を実行するマクロ撮影モード復帰手段をさらに備える。
【００１９】
このようにすれば、撮影画面がマクロ撮影モードでは適切に撮影できない被写体を含まないと判定された場合、直ちにマクロ撮影モードに復帰するから、マクロ撮影モードで迅速かつ的確に撮影を行うことが可能となる。マクロ撮影モードを選択するのに手間取ってシャッターチャンスを逃すことがない。
【００２０】
また、上記デジタルカメラにおいては、例えば、前記マクロ撮影モード復帰手段は、前記マクロ撮影モードへの復帰処理として、前記保存されたデータを設定するとともに前記マクロ撮影モードを選択する。
【００２１】
このようにすれば、マクロ撮影モード解除後にマクロ撮影モードに復帰する場合、この保存データを再設定することができ、これにより、解除前のマクロ撮影モードと同じ条件のマクロ撮影モードに復帰することが可能となる。
【００２２】
また、上記デジタルカメラにおいては、例えば、前記判定手段は、前記撮影モードが選択された場合、撮影画面がマクロ撮影モードでは適切に撮影できない被写体を含むか否かの判定を開始する。
【００２３】
これは、判定手段による判定の開始タイミングの例示である。このようにすれば、判定手段による判定を予め開始しておくことができるから、マクロ撮影モードの解除処理を迅速に実行することが可能となる。なお、本発明の判定手段による判定の開始タイミングは、撮影モードが選択された場合に限定されない。例えば、手動でスイッチがオンされたことをもって判定を開始するようにしてもよい。
【００２４】
また、上記デジタルカメラにおいては、例えば、前記被写体判定手段は、撮影画面がマクロ撮影モードでは適切に撮影できない被写体として人物の顔を含むか否かを判定する顔判定手段である。
【００２５】
これは、適切に撮影できない被写体の例示である。本発明の適切に撮影できない被写体はこれに限定されない。例えば、通常は、マクロ撮影モードで撮影することが考えられない（と利用者が考える）もの（例えば、建築物、自動車、電車、動物）を適切に撮影できない被写体とすることも可能である。
【発明の効果】
【００２６】
本発明によれば、マクロ撮影モードを選択して撮影可能なデジタルカメラにおいて、被写体までの距離を測定することなく、マクロ撮影モードでの撮影ミスを防止又は低減することが可能となる。
【発明を実施するための最良の形態】
【００２７】
以下、本発明の一実施形態であるデジタルカメラについて図面を参照しながら説明する。
【００２８】
図１は本発明の一実施形態であるデジタルカメラのハード構成を説明するためのブロック図である。
【００２９】
デジタルカメラ１０は、撮影モードを含む複数のモード（例えばモード選択スイッチ２２により選択可能な撮影モードと再生モード）を有し、撮影モードが選択された場合、さらにマクロ撮影モード又はそれ以外の撮影モード（例えば標準撮影モード）を選択して撮影可能ないわゆるデジタルカメラである。
【００３０】
デジタルカメラ１０は、静止画や動画の記録及び再生機能を備えており、その全体の動作は中央処理装置（ＣＰＵ）１２によって統括制御される。ＣＰＵ１２は、所定のプログラムに従って本カメラシステムを制御する制御手段として機能するとともに、自動露出（ＡＥ）演算、自動焦点調節（ＡＦ）演算、ホワイトバランス（ＷＢ）調整演算など、各種演算を実施する演算手段として機能する。
【００３１】
バス１４を介してＣＰＵ１２と接続されたＲＯＭ１６には、ＣＰＵ１２が実行するプログラム及び制御に必要な各種データ等が格納され、ＥＥＰＲＯＭ１７には、ＣＣＤ画素欠陥情報、カメラ動作に関する各種定数／情報等が格納されている。
【００３２】
また、メモリ（ＳＤＲＡＭ）１８は、プログラムの展開領域及びＣＰＵ１２の演算作業用領域として利用されるとともに、画像データや音声データの一時記憶領域として利用される。ＶＲＡＭ２０は画像データ専用の一時記憶メモリであり、Ａ領域２０ＡとＢ領域２０Ｂが含まれている。メモリ１８とＶＲＡＭ２０は共用することが可能である。
【００３３】
カメラ１０にはモード選択スイッチ２２、撮影ボタン２４、その他、メニュー／ＯＫキー、十字キー、キャンセルキーなどの操作手段２６が設けられている。これら各種の操作部（２２〜２６）からの信号はＣＰＵ１２に入力され、ＣＰＵ１２は入力信号に基づいてカメラ１０の各回路を制御し、例えば、レンズ駆動制御、撮影動作制御、画像処理制御、画像データの記録／再生制御、画像表示装置２８の表示制御などを行う。
【００３４】
モード選択スイッチ２２は、撮影モードと再生モードとを切り換えるための操作手段である。モード選択スイッチ２０を操作して可動接片２２Ａを接点ａに接続させると、その信号がＣＰＵ１２に入力され、カメラ１０は撮影モードが選択（または設定ともいう）され、可動接片２２Ａを接点ｂに接続させると、カメラ１０は記録済みの画像を再生する再生モードが選択される。
【００３５】
デジタルカメラ１０においては、撮影モードが選択された場合、さらにマクロ撮影モード（一つのこともあるし、マクロ又はスーパーマクロのように複数のこともある）又は標準撮影モード（本発明のそれ以外の撮影モードに相当）を選択して（例えば操作手段２６で選択する）撮影可能となっている。マクロ撮影モードが選択された場合、画像表示装置２８の表示面にマクロ撮影モードであることを表す表示（例えば花のマーク）が表示される。この表示はマクロ撮影モードが選択されている間、継続して表示される。
【００３６】
なお、マクロ撮影モードとは、接写等きわめて近距離（機種にもよるが一般的には３０ｃｍ程度）に位置する被写体を撮影する場合に選択されるモードである。標準撮影モードとは、近景(機種にもよるが一般的には５０ｃｍ〜１ｍ程度)から無限遠までに位置する被写体を撮影する場合に選択されるモードである。
【００３７】
撮影ボタン２４は、撮影開始の指示を入力する操作ボタンであり、半押し時にＯＮするＳ１スイッチと、全押し時にＯＮするＳ２スイッチとを有する二段ストローク式のスイッチで構成されている。
【００３８】
メニュー／ＯＫキーは、画像表示装置２８の画面上にメニューを表示させる指令を行うためのメニューボタンとしての機能と、選択内容の確定及び実行などを指令するＯＫボタンとしての機能とを兼備した操作キーである。十字キーは、上下左右の４方向の指示を入力する操作部であり、メニュー画面から項目を選択したり、各メニューから各種設定項目の選択を指示したりするボタン（カーソル移動操作手段）として機能する。また、十字キーの上／下キーは撮影時のズームスイッチあるいは再生時の再生ズームスイッチとして機能し、左／右キーは再生モード時のコマ送り（順方向／逆方向送り）ボタンとして機能する。キャンセルキーは、選択項目など所望の対象の消去や指示内容の取消し、あるいは１つ前の操作状態に戻らせる時などに使用される。
【００３９】
画像表示装置２８は、カラー表示可能な液晶ディスプレイで構成されている。画像表示装置２８は、撮影時に画角確認用の電子ファインダとして使用できるとともに、記録済み画像を再生表示する手段として利用される。また、画像表示装置２８は、ユーザインターフェース用表示画面としても利用され、必要に応じてメニュー情報や選択項目、設定内容などの情報が表示される。液晶ディスプレイに代えて、有機ＥＬなど他の方式の表示装置（表示手段）を用いることも可能である。
【００４０】
デジタルカメラ１０は、メディアソケット（メディア装着部）３０を有し、メディアソケット３０には記録メディア３２を装着することができる。記録メディアの形態は特に限定されず、xD-PictureCard（商標）、スマートメディア（商標）に代表される半導体メモリカード、可搬型小型ハードディスク、磁気ディスク、光ディスク、光磁気ディスクなど、種々の媒体を用いることができる。
【００４１】
メディアコントローラ３４は、メディアソケット３０に装着される記録メディア３２に適した入出力信号の受渡しを行うために所要の信号変換を行う。
【００４２】
また、カメラ１０はパソコンその他の外部機器と接続するための通信手段としてＵＳＢインターフェース部３６を備えている。図示せぬＵＳＢケーブルを用いてカメラ１０と外部機器を接続することにより、外部機器との間でデータの受渡しが可能となる。もちろん、通信方式はＵＳＢに限らず、IEEE1394やBluetooth その他の通信方式を適用してもよい。
【００４３】
次に、デジタルカメラ１０の撮影機能について説明する。
【００４４】
モード選択スイッチ２２によって撮影モードが選択されると、カラーＣＣＤ固体撮像素子（以下ＣＣＤと記載）３８を含む撮像部に電源が供給され、撮影可能な状態になる。
【００４５】
レンズユニット４０は、フォーカスレンズを含む撮影レンズ４２と絞り兼用メカシャッター４４とを含む光学ユニットである。レンズユニット４０は、ＣＰＵ１２によって制御されるレンズ駆動部４６、絞り駆動部４８によって電動駆動され、ズーム制御、フォーカス制御及びアイリス制御が行われる。
【００４６】
レンズユニット４０を通過した光は、ＣＣＤ３８の受光面に結像される。ＣＣＤ３８の受光面には多数のフォトダイオード（受光素子）が二次元的に配列されており、各フォトダイオードに対応して赤（Ｒ）、緑（Ｇ）、青（Ｂ）の原色カラーフィルタが所定の配列構造（ベイヤー、Ｇストライプなど）で配置されている。また、ＣＣＤ３８は、各フォトダイオードの電荷蓄積時間（シャッタースピード）を制御する電子シャッター機能を有している。ＣＰＵ１２は、タイミングジェネレータ５０を介してＣＣＤ３８での電荷蓄積時間を制御する。尚、ＣＣＤ３８に代えてＭＯＳ型など他の方式の撮像素子を用いてもよい。
【００４７】
ＣＣＤ３８の受光面に結像された被写体像は、各フォトダイオードによって入射光量に応じた量の信号電荷に変換される。各フォトダイオードに蓄積された信号電荷は、ＣＰＵ１２の指令に従いタイミングジェネレータ５０から与えられる駆動パルスに基づいて信号電荷に応じた電圧信号（画像信号）として順次読み出される。
【００４８】
ＣＣＤ３８から出力された信号はアナログ処理部（ＣＤＳ／ＡＭＰ）５２に送られ、ここで画素ごとのＲ，Ｇ，Ｂ信号がサンプリングホールド（相関二重サンプリング処理）され、増幅された後、Ａ／Ｄ変換器５４に加えられる。Ａ／Ｄ変換器５４によってデジタル信号に変換された点順次のＲ，Ｇ，Ｂ信号は、画像入力コントローラ５６を介してメモリ１８に記憶される。
【００４９】
画像信号処理回路５８は、メモリ１８に記憶されたＲ，Ｇ，Ｂ信号をＣＰＵ１２の指令に従って処理する。即ち、画像信号処理回路５８は、同時化回路（単板ＣＣＤのカラーフィルタ配列に伴う色信号の空間的なズレを補間して色信号を同時式に変換する処理回路）、ホワイトバランス補正回路、ガンマ補正回路、輪郭補正回路、輝度・色差信号生成回路等を含む画像処理手段として機能し、ＣＰＵ１２からのコマンドに従ってメモリ１８を活用しながら所定の信号処理を行う。
【００５０】
画像信号処理回路５８に入力されたＲＧＢの画像データは、画像信号処理回路５８において輝度信号（Ｙ信号）及び色差信号（Ｃr,Ｃb 信号）に変換されるとともに、ガンマ補正等の所定の処理が施される。画像信号処理回路５８で処理された画像データはＶＲＡＭ２０に格納される。
【００５１】
撮影画像を画像表示装置２８にモニタ出力する場合、ＶＲＡＭ２０から画像データが読み出され、バス１４を介してビデオエンコーダ６０に送られる。ビデオエンコーダ６０は、入力された画像データを表示用の所定方式の信号（例えば、ＮＴＳＣ方式のカラー複合映像信号）に変換して画像表示装置２８に出力する。
【００５２】
ＣＣＤ３８から出力される画像信号によって、１コマ分の画像を表す画像データがＡ領域２０ＡとＢ領域２２Ｂとで交互に書き換えられる。ＶＲＡＭ２２のＡ領域２２Ａ及びＢ領域２２Ｂのうち、画像データが書き換えられている方の領域以外の領域から、書き込まれている画像データが読み出される。このようにしてＶＲＡＭ２０内の画像データが定期的に書き換えられ、その画像データから生成される映像信号が画像表示装置２８に供給されることにより、撮像中の映像（本発明の撮影画像に相当）がリアルタイムに画像表示装置２８に表示される。撮影者は、画像表示装置２８に表示される映像（スルームービー画）によって撮影画角を確認できる。
【００５３】
撮影ボタン２４が半押しされ、Ｓ１がオンすると、カメラ１０はＡＥ及びＡＦ処理を開始する。即ち、ＣＣＤ３８から出力された画像信号はＡ／Ｄ変換後に画像入力コントローラ５６を介してＡＦ検出回路６２並びにＡＥ／ＡＷＢ検出回路６４に入力される。
【００５４】
ＡＥ／ＡＷＢ検出回路６４は、１画面を複数のエリア（例えば、１６×１６）に分割し、分割エリアごとにＲＧＢ信号を積算する回路を含み、その積算値をＣＰＵ１２に提供する。ＣＰＵ１２は、ＡＥ／ＡＷＢ検出回路６４から得た積算値に基づいて被写体の明るさ（被写体輝度）を検出し、撮影に適した露出値（撮影ＥＶ値）を算出する。求めた露出値と所定のプログラム線図に従い、絞り値とシャッタースピードが決定され、これに従いＣＰＵ１２はＣＣＤ３８の電子シャッター及びアイリスを制御して適正な露光量を得る。
【００５５】
また、ＡＥ／ＡＷＢ検出回路６４は、自動ホワイトバランス調整時には、分割エリアごとにＲＧＢ信号の色別の平均積算値を算出し、その算出結果をＣＰＵ１２に提供する。ＣＰＵ１２は、Ｒの積算値、Ｂの積算値、Ｇの積算値を得て、各分割エリアごとにＲ／Ｇ及びＢ／Ｇの比を求め、これらＲ／Ｇ、Ｂ／Ｇの値のＲ／Ｇ、Ｂ／Ｇの色空間における分布等に基づいて光源種判別を行い、判別された光源種に適したホワイトバランス調整値に従って、例えば、各比の値がおよそ１（つまり、１画面においてＲＧＢの積算比率がＲ：Ｇ：Ｂ≒１：１：１）になるように、ホワイトバランス調整回路のＲ，Ｇ，Ｂ信号に対するゲイン値（ホワイトバランス補正値）を制御し、各色チャンネルの信号に補正をかける。前述した各比の値を１以外の値になるようにホワイトバランス調整回路のゲイン値を調整すると、ある色味が残った画像を生成することができる。
【００５６】
デジタルカメラ１０におけるＡＦ制御は、例えば映像信号のＧ信号の高周波成分が極大になるようにフォーカシングレンズ（撮影レンズ４２を構成するレンズ光学系のうちフォーカス調整に寄与する移動レンズ）を移動させるコントラストＡＦが適用される。即ち、ＡＦ検出回路６２は、Ｇ信号の高周波成分のみを通過させるハイパスフィルタ、絶対値化処理部、画面内（例えば、画面中央部）に予め設定されているフォーカス対象エリア内の信号を切り出すＡＦエリア抽出部、及びＡＦエリア内の絶対値データを積算する積算部から構成される。
【００５７】
ＡＦ検出回路６２で求めた積算値のデータはＣＰＵ１２に通知される。ＣＰＵ１２は、レンズ駆動部４６を制御してフォーカシングレンズを移動させながら、複数のＡＦ検出ポイントで焦点評価値（ＡＦ評価値）を演算し、評価値が極大となるレンズ位置を合焦位置として決定する。そして、求めた合焦位置にフォーカシングレンズを移動させるようにレンズ駆動部４６を制御する。尚、ＡＦ評価値の演算はＧ信号を利用する態様に限らず、輝度信号（Ｙ信号）を利用してもよい。
【００５８】
撮影ボタン２４が半押しされ、Ｓ１オンによってＡＥ／ＡＦ処理が行われ、撮影ボタン２４が全押しされ、Ｓ２オンによって記録用の撮影動作がスタートする。Ｓ２オンに応動して取得された画像データは画像信号処理回路５８において輝度／色差信号（Ｙ／Ｃ信号）に変換され、ガンマ補正等の所定の処理が施された後、メモリ１８に格納される。
【００５９】
メモリ１８に格納されたＹ／Ｃ信号は、圧縮伸張回路６６によって所定のフォーマットに従って圧縮された後、メディアコントローラ３４を介して記録メディア３２に記録される。例えば、静止画についてはJPEG（Joint Photographic Experts Group）形式で記録される。
【００６０】
モード選択スイッチ２２により再生モードが選択されると、記録メディア３２に記録されている最終の画像ファイル（最後に記録されたファイル）の圧縮データが読み出される。最後の記録に係るファイルが静止画ファイルの場合、この読み出された画像圧縮データは、圧縮伸張回路６６を介して非圧縮のＹＣ信号に伸張され、画像信号処理回路５８及びビデオエンコーダ６０を介して表示用の信号に変換された後、画像表示装置２８に出力される。これにより、当該ファイルの画像内容が画像表示装置２８の画面上に表示される。
【００６１】
静止画の一コマ再生中（動画の先頭フレーム再生中も含む）に、十字キーの右キー又は左キーを操作することによって、再生対象のファイルを切り換えること（順コマ送り／逆コマ送り）ができる。コマ送りされた位置の画像ファイルが記録メディア３２から読み出され、上記と同様にして静止画像や動画が画像表示装置２８に再生表示される。
【００６２】
次に、デジタルカメラ１０におけるマクロ撮影モードでの撮影ミスを防止又は低減させるための処理について図２を参照しながら説明する。図２は、デジタルカメラ１０におけるマクロ撮影モードでの撮影ミスを防止又は低減させるための処理を表すフローチャートである。以下の処理は、ＣＰＵ１２等の制御部が、ＲＯＭ１６等からメモリ１８等に読み込まれた所定プログラムを実行することによって実現される。
【００６３】
デジタルカメラ１０においては、その主電源スイッチがオンされるとともに、モード選択スイッチ２２によって撮影モードが選択されると、本発明の被写体判定手段に相当する顔認識処理が実行される（ステップＳ１、Ｓ２）。顔認識処理は撮影モードが選択されている間、周期的に実行される。
【００６４】
顔認識処理は、撮影画像から人物の顔を認識できたか否かすなわち、撮影画像がマクロ撮影モードでは適切に撮影できない被写体（本実施形態では人物の顔）を含むか否かを判定する処理である（ステップＳ２）。
【００６５】
顔認識処理としては各種のものが考えられる。例えば、撮影画像（データ）からエッジ検出あるいは形状パターン検出することにより撮影画像が人物の顔を含むか否かを判定してもよいし、または、撮影画像（データ）から色相抽出あるいは肌色抽出することにより撮影画像が人物の顔を含むか否かを判定してもよい。その他公知の顔検出方法を適用することが可能である。
【００６６】
顔認識処理実行の結果、撮影画像から人物の顔を認識できた場合（ステップＳ２：ＹＥＳ）すなわち、撮影画像が人物の顔を含むと判定された場合、マクロ撮影モードが有効か否かすなわち、マクロ撮影モードが選択されているか否かが判定される（ステップＳ３）。この判定は、本発明のマクロ撮影モード判定手段に相当し、例えば、画像表示装置２８の表示面にマクロ撮影モードであることを表す表示（例えば花のマーク）が表示されているか否かを検出することで行う。
【００６７】
その結果、マクロ撮影モードが有効である（ステップ３：ＹＥＳ）すなわち、マクロ撮影モードが選択されていると判定された場合、マクロ撮影モードの解除処理が実行される（ステップ４）。これは、本発明のマクロ撮影モード解除手段に相当する。
【００６８】
マクロ撮影モードの解除処理としては各種のものが考えられる。例えば、マクロ撮影モード以外のモード（例えば標準撮影モード）を選択する（マクロ撮影モードから標準撮影モードに切り替える）ことが考えられる。
【００６９】
このようにすれば、マクロ撮影モード以外のモードである標準撮影モードが選択されるから、マクロ撮影モードでは適切に撮影できない被写体（人物の顔）をマクロ撮影モードで撮影することを防止又は低減することが可能となる。すなわち、マクロ撮影モードでの撮影ミスを防止又は低減することが可能になる。しかも、撮影画面にマクロ撮影モードでは適切に撮影できない被写体が含まれている場合（かつ、マクロ撮影モードが選択されている場合）に、直ちに標準撮影モードが選択されることになるから、標準撮影モードで迅速かつ適切に撮影することが可能となる。標準撮影モードを選択するのに手間取ってシャッターチャンスを逃すことがない。
【００７０】
あるいは、マクロ撮影モードの解除処理として標準撮影モードを選択することなく（すなわちマクロ撮影モードのままで）、撮影ボタン２４が全押しされても撮影できないように制御することも考えられる。
【００７１】
そして、マクロ撮影モードの解除を実行した旨を通知する（ステップＳ５）。具体的には、画像表示装置２８の表示面にその旨を表示することが考えられる。
【００７２】
以上のようにすれば、従来のように被写体までの距離を測定することなく、マクロ撮影モードでは適切に撮影できない被写体（本実施形態では人物の顔）をマクロ撮影モードで撮影することを防止又は低減することが可能となる。すなわち、マクロ撮影モードでの撮影ミスを防止又は低減することが可能になる。
【００７３】
次に、デジタルカメラ１０におけるマクロ撮影モードでの撮影ミスを防止又は低減させるための処理（他の実施の形態）について図３を参照しながら説明する。図３は、デジタルカメラ１０におけるマクロ撮影モードでの撮影ミスを防止又は低減させるための処理（他の実施の形態）を表すフローチャートである。以下の処理は、ＣＰＵ１２等の制御部が、ＲＯＭ１６等からメモリ１８等に読み込まれた所定プログラムを実行することによって実現される。
【００７４】
デジタルカメラ１０においては、マクロ撮影モードの解除処理の実行（ステップＳ４）後も、撮影モードが選択されている限り、顔認識処理が周期的に実行される（ステップＳ１０、Ｓ１１）。この顔認識処理はステップＳ１およびＳ２で説明したものと同じであるからその説明を省略する。
【００７５】
顔認識処理実行の結果、撮影画像から人物の顔を認識できた場合（ステップＳ１１：ＹＥＳ）すなわち、撮影画像が人物の顔を含むと判定された場合、マクロ撮影モードが有効か否かすなわち、マクロ撮影モードが選択されているか否かが判定される（ステップＳ１２）。この判定はステップＳ３で説明したものと同じであるからその説明を省略する。
【００７６】
その結果、マクロ撮影モードが有効である（ステップ１２：ＹＥＳ）すなわち、マクロ撮影モードが選択されていると判定された場合、マクロ撮影モードの解除処理の実行前に、マクロ撮影モードが保持される（ステップＳ１３）。これは、本発明の保存手段に相当する。例えば、マクロ撮影モードで設定されたデータが保存される。このようにすれば、マクロ撮影モード解除後にマクロ撮影モードに復帰する場合（ステップＳ１８）、この保存データを再設定することができ、これにより、解除前のマクロ撮影モードと同じ条件のマクロ撮影モードに復帰することが可能となる。
【００７７】
次に、マクロ撮影モードの解除処理が実行される（ステップＳ１４）。このマクロ撮影モードの解除処理はステップＳ４で説明したものと同じであるからその説明を省略する。なお、ステップＳ５と同様に、マクロ撮影モードの解除を実行した旨を通知するようにしてもよい。
【００７８】
そして、次のタイミングで顔認識処理が実行され（ステップＳ１５）、その結果、人物の顔を認識しない（ステップＳ１６：ＹＥＳ）すなわち、撮影画像が人物の顔を含まないと判定され、かつ、（複数のタイミングで顔認識処理を行ったときに）所定回数以上人物の顔を認識しないと判定された（ステップＳ１７：ＹＥＳ）場合には、マクロ撮影モードを元の設定に戻す処理すなわち、マクロ撮影モード復帰処理が実行される（ステップＳ１８）。例えば、ステップＳ１３においてマクロ撮影モードで設定されたデータが保存されているのであれば、この保存されたデータを再設定するとともにマクロ撮影モードを選択する（標準撮影モードからマクロ撮影モードに切り替える）。
【００７９】
これにより、解除前のマクロ撮影モードと同じ条件のマクロ撮影モードに復帰することが可能となる。
【００８０】
以上説明したように、上記各実施形態のデジタルカメラによれば、撮影画面に、マクロ撮影モードでは適切に撮影できない被写体（人物の顔など）が含まれているか否かが判定される（ステップＳ１、Ｓ２）。そして、撮影画面にマクロ撮影モードでは適切に撮影できない被写体が含まれており（ステップＳ２：ＹＥＳ）、かつ、マクロ撮影モードが選択されている（ステップＳ３：ＹＥＳ）場合に、マクロ撮影モードの解除処理が実行される（ステップＳ４）。すなわち、画像処理の結果に基づいてマクロ撮影モードを制御している。
【００８１】
したがって、従来のように被写体までの距離を測定することなく、マクロ撮影モードでは適切に撮影できない被写体をマクロ撮影モードで撮影することを防止又は低減することが可能となる。すなわち、マクロ撮影モードでの撮影ミスを防止又は低減することが可能となる。
【００８２】
なお、上記各実施形態においては、マクロ撮影モードでは適切に撮影できない被写体は、人物の顔であるように説明したが、本発明はこれに限定されない。要は、通常は、マクロ撮影モードで撮影することが考えられない（と利用者が考える）ものであればよい。したがって、マクロ撮影モードでは適切に撮影できない被写体として、建築物、自動車、電車、動物、その他のものを採用することも可能である。
【００８３】
上記実施形態はあらゆる点で単なる例示にすぎない。これらの記載によって本発明は限定的に解釈されるものではない。本発明はその精神または主要な特徴から逸脱することなく他の様々な形で実施することができる。
【図面の簡単な説明】
【００８４】
【図１】本発明の一実施形態であるデジタルカメラのハード構成を説明するためのブロック図である。
【図２】本発明の一実施形態であるデジタルカメラにおけるマクロ撮影モードでの撮影ミスを防止又は低減させるための処理を表すフローチャートである。
【図３】本発明の他の実施形態であるデジタルカメラにおけるマクロ撮影モードでの撮影ミスを防止又は低減させるための処理を表すフローチャートである。
【符号の説明】
【００８５】
１０…カメラ、１２…ＣＰＵ、１６…ＲＯＭ、１７…ＥＥＰＲＯＭ、１８…メモリ、２６…操作手段、３２…記録メディア、３８…カラーＣＣＤ固体撮像素子（ＣＣＤ）、４０…レンズユニット、４２…撮影レンズ、５８…画像信号処理回路
【図１】
2007116372.tif 000003
【図２】
2007116372.tif 000004
【図３】
2007116372.tif 000005